(57)【要約】【課題】映像信号処理において、カメラの焦点が合っていない非焦点領域が存在する場合、焦点が合っている領域に対する画像処理と同じ精度の画像処理が施されるため、必要以上の電力が消費される。【解決手段】カメラの焦点が合っていない領域が存在する場合、焦点が合っていない非焦点領域は視聴者が注視していない領域と考える。その領域を検出し、検出された領域の非焦点度合いに応じて、例えば映像信号の処理ビット数を減らすといった画像処理性能の制御を行うことによって回路に掛かる電力を削減する。【選択図】図１
2011239113.tif 000002
【特許請求の範囲】
【請求項１】
映像信号から映像中の非焦点領域の非焦点レベル信号を検出する非焦点領域検出部と、
前記非焦点領域検出部の処理にかかる時間だけ映像信号を遅延させる遅延調整部と、
前記非焦点領域検出部が出力する非焦点レベル信号と前記遅延調整部が出力する映像信号によって画像処理性能を制御する画像処理性能制御部と、
前記画像処理性能制御部から出力される信号を用いて画像処理を行う画像処理部とを備えることを特徴とする映像処理装置。
【請求項２】
前記画像処理性能制御部は、複数に分配されたクロックを前記非焦点レベル信号の値に応じた数だけ停止させることを特徴とする請求項１記載の映像信号制御装置。
【請求項３】
前記画像処理性能制御部は、前記映像信号の下位ビットの信号を前記非焦点レベル信号の値に応じたビット数を可変に設定することを特徴とする請求項１記載の映像信号制御装置。
【請求項４】
前記画像処理性能制御部は、前記映像信号を前記非焦点レベル信号の値に応じてソフトウェア制御にて画像処理性能を制御することを特徴とする請求項１記載の映像信号制御装置。
【発明の詳細な説明】
【技術分野】
【０００１】
本発明は、映像処理回路にかかる消費電力を削減させることを目的とした映像処理装置である。
【背景技術】
【０００２】
近年、環境意識が高まり、電子機器の消費電力削減が重要な課題となっている。映像信号を表示する映像表示装置においても消費電量の削減は重要であり、省電力化技術が望まれている。特許文献１はそのための技術を開示する。特許文献１では、映像中の注目画素を設定し、入力映像信号の特徴量と位置パラメータから注目画素における映像信号を変換する。
【先行技術文献】
【特許文献】
【０００３】
【特許文献１】国際公開第２００６／０４９０５８号
【発明の概要】
【発明が解決しようとする課題】
【０００４】
入力された映像信号中に、それほど高性能な画像処理を必要としない領域が存在する場合においても、その他の領域と同様に画像処理されるため、画像処理に対して必要以上の電力が消費される。
【課題を解決するための手段】
【０００５】
上記の課題を解決するために、入力映像信号中の映像が非焦点領域を検出し、非焦点レベル信号を出力する非焦点領域検出部と、非焦点領域の検出にかかる時間だけ映像信号の遅延を調整する遅延調整部と、非焦点レベルから画像処理の性能を制御する画像処理性能制御部と、画像処理を行う画像処理部を備えることを特徴としている。
【発明の効果】
【０００６】
本発明は、一画面中にピントが合っている領域とピントが合っていない（ボケた）、非焦点領域とがある場合に、非焦点領域について視聴者はほとんど注目せず、さらに非焦点領域には高性能な画像処理はそれほど求められていないと考えられるため、当該領域については下位ビットの処理や補正機能そのものを停止させることによって画質の劣化が目立たず、かつ画像処理にかかる消費電力を削減することができる。
【図面の簡単な説明】
【０００７】
【図１】本発明の実施の形態における映像処理装置を示すブロック図
【図２】本発明の画像処理性能制御部の実施の形態を表すブロック図
【図３】本発明の画像処理性能制御部の実施の形態を表すブロック図
【図４】本発明の画像処理性能制御部の実施の形態を表すブロック図
【図５】注目領域と非注目領域が存在する画像の一例を示す図
【図６】注目領域と非注目領域が存在する画像の一例を示す図
【発明を実施するための形態】
【０００８】
以下に、本発明の本発明の実施の形態について図１〜図５を用いて説明する。
（実施の形態１）
映像視聴では、画面全体がくっきりとピントが合っている映像だけではなく、例えば図４のように走る車のような高速で動く物体に注目して撮影された映像では、建物や歩道にいる人のような比較的近距離の背景は焦点があっていない（非焦点領域又は非注目領域という。）。また、図５のように動きは小さいが奥行きのあるシーンで手前の人物を注目させるために手前にピントを合わせて撮影されている場合もある。このような場合も背景に映っている物体は焦点があっていない。
【０００９】
これらの例のように、画面中に非焦点領域（非注目領域）が存在している場合、ピントの合っている領域には高階調、高精細といった高性能な画像処理を施す必要があるが、非焦点領域にはそれほど高い性能の画像処理は求められていない上に、画質の処理量が多いとそれだけ多くの電力が消費される。
【００１０】
図１は、上記課題を解決するための全体概略構成図である。図１において、１１は非焦点領域検出部、１２は遅延調整部、１３は画像処理性能制御部、１４は画像処理部である。非焦点領域検出部１１は、映像信号Ｐが入力され、映像の非焦点度合いに応じて非焦点レベル信号ＢＬＶ出力し、画像処理性能制御部１３に与える。
【００１１】
遅延調整部１２は、映像信号Ｐが入力され、非焦点領域の検出にかかる処理時間だけ遅延された映像信号ＰＤを画像処理性能制御部１３に与える。
【００１２】
画像処理部１４は、画像処理性能制御部１３から以下に述べる実施の形態に示される各種制御信号や映像信号が入力され、画像処理が施されて映像信号Ｐ’を出力する。ここで施す画像処理とは、例えば輪郭強調や、階調補正、色補正といった種々の画像処理機能を表しており、単一の画像処理機能に限定したものではない。また、下位ビット側の画像処理を施さない場合の下位ビットのビット数については、ここでは限定しておらず、非焦点領域に対して下位ビットの処理を施さなくても画質の劣化が問題にならないと判断できるビット数を設計者が自由に選択するものとする。
【００１３】
図２は、画像処理性能制御部１３の概略構成の一例を表した図である。この構成では、非焦点領域検出部１１から入力される画素単位で変化する非焦点レベル信号ＢＬＶに応じて複数に分配したクロックＣＬＫ１〜ＣＬＫｎの一部をクロック切替部２１で停止させる。ここでは映像信号のビット幅や分配するクロックの数（ｎ）および非焦点レベル信号の取りうる範囲について制限は設けない。例えば、映像信号が１０ビットのときにクロックをＣＬＫ１、ＣＬＫ２の２系統に分配し、非焦点レベル信号ＢＬＫの取りうる範囲が１，２とする。非焦点レベルが２の領域に対して各画像処理を８ビットの精度で処理したい場合は、上位８ビットの映像信号の処理に関わるフリップフロップなどの回路にはＣＬＫ１を供給し、下位２ビットの映像信号に関わる回路にはＣＬＫ２を供給する。また、この例のようにビット精度を制御するだけに限定せず、例えば非焦点領域に輪郭強調の処理を施しても期待される効果は少ないので、補正量を算出する回路へのクロック供給を停止するといった機能のＯＮ／ＯＦＦの制御を行ってもよい。
【００１４】
図３は、画像処理性能制御部１３の概略構成の一例を表した図である。この構成では、非焦点領域検出部１１から入力される画素単位で変化する非焦点レベル信号ＢＬＶに応じて映像信号切替部３１で映像信号ＰＤの下位ビットを０固定する。前項同様、ここでは映像信号のビット幅や非焦点レベルの取りうる範囲について制限は設けない。なお、上述した実施の形態においては、画素単位で非焦点レベル信号を検出する構成について説明したが、本願発明は、これに限定されるものではなく、複数画素からなるブロック単位で検出する構成を採用することも可能である。
【００１５】
図４は、画像処理性能制御部１３の概略構成の一例を表した図である。この構成では、非焦点領域検出部１１から入力される画素単位で変化する非焦点レベル信号ＢＬＶに応じて映像信号のビット精度の制御や機能のＯＮ／ＯＦＦを制御する信号の生成を制御信号生成部４１で示すソフトウェア制御にて行う。
【００１６】
画像処理部１４は、画像処理性能制御部１３から出力された映像信号やクロックをまとめた出力信号ＯＵＴが入力され、画像処理が施された映像信号Ｐ’を出力する。ここで施す画像処理とは、例えば輪郭強調や、階調補正、色補正といった種々の画像処理機能を表しており、単一の画像処理機能に限定したものではない。
【産業上の利用可能性】
【００１７】
本発明に係る映像信号処理装置は、映像中の非焦点領域を検出し、その領域の画像処理を制御できるものであり、消費電力を削減することができるためその利用価値は高い。
【符号の説明】
【００１８】
１１    非焦点領域検出部
１２    遅延調整部
１３    画像処理性能制御部
１４    画像処理部
２１    クロック切替部
３１    映像信号切替部
４１    性能制御部
【図１】
2011239113.tif 000003
【図２】
2011239113.tif 000004
【図３】
2011239113.tif 000005
【図４】
2011239113.tif 000006
【図５】
2011239113.tif 000007
【図６】
2011239113.tif 000008